(57)【要約】【課題】少ない操作手順で、表示画面に表示される情報量が減少することなく、表示画面内の正確な位置を確実に選択することができるタッチパネルシステムを提供すること。【解決手段】本発明のタッチパネルシステムは、指Ｆを接触させることによって作動する。タッチパネルシステムは、表示画面（表示手段）１と、表示画面１上に配置され、接触された指Ｆの位置を読み取るタッチパネル２と、タッチパネル２により読みとられた指Ｆの位置から当該指Ｆの位置を特定する接触位置検出部４と、当該接触位置検出部４により特定された指Ｆの位置に基づいて、当該指Ｆの位置に対応する表示画面１の位置にポインタＰを表示させるポインタ表示部５とを有する位置指定機能部３と、を備えている。ポインタ表示部５は、タッチパネル２に接触された指Ｆの大きさよりも大きな十字形状からなるポインタＰを、表示画面１に表示させる。【選択図】図１
2008226097.tif 000002
【特許請求の範囲】
【請求項１】
指を接触させることによって作動するタッチパネルシステムにおいて、
表示手段と、
表示手段上に配置され、接触された指の位置を読み取る接触位置読み取り手段と、
接触位置読み取り手段により読みとられた指の位置から当該指の位置を特定する接触位置検出部と、当該接触位置検出部により特定された指の位置に基づいて、当該指の位置に対応する表示手段の位置にポインタを表示させるポインタ表示部とを有する位置指定機能部と、を備え、
ポインタ表示部は、接触位置読み取り手段に接触された指の大きさよりも大きな十字形状からなるポインタを、表示手段に表示させることを特徴とするタッチパネルシステム。
【請求項２】
ポインタ表示部は、接触位置読み取り手段に指が接触されているときにのみ、表示手段にポインタを表示させることを特徴とする請求項１記載のタッチパネルシステム。
【請求項３】
指を接触させることによって作動するタッチパネルシステムにおいて、
表示手段と、
表示手段上に配置され、接触された指の位置を読み取る接触位置読み取り手段と、
接触位置読み取り手段により読みとられた指の位置から当該指の位置を特定する接触位置検出部と、当該接触位置検出部により特定された指の位置に基づいて、当該指の位置に対応する表示手段の位置にポインタを表示させるポインタ表示部とを有する位置指定機能部と、
当該位置指定機能部の接触位置検出部と通信可能に配置され、接触位置検出部により特定された指の位置を記憶する記憶手段と、を備え、
位置指定機能部は、当該指の位置に対してポインタの位置がずれた場合、接触位置検出部によって特定され記憶手段に記憶された、接触位置読み取り手段に指が最初に接触した時の指の位置と、接触位置検出部によって特定された、接触位置読み取り手段に接触している現在の指の位置とに基づいて、指の移動距離を算出する接触位置移動距離算出部をさらに有し、
ポインタ表示部は、当該移動距離に基づいて、ポインタを表示手段内で移動させることを特徴とするタッチパネルシステム。
【請求項４】
位置指定機能部は、接触位置移動距離算出部によって算出された移動距離に減数処理を施して得られた移動必要距離を算出するポインタ移動距離算出部をさらに有し、
ポインタ表示部は、当該移動必要距離に基づいて、ポインタを表示手段内で移動させることを特徴とする請求項３記載のタッチパネルシステム。
【発明の詳細な説明】
【技術分野】
【０００１】
本発明は、ユーザが指を接触させることによって作動するタッチパネルシステムに関する。
【背景技術】
【０００２】
一般に、指を接触させることによって作動するタッチパネルシステムは、表示画面（表示手段）と、表示画面上に取り付けられ、接触された指の位置を読み取り、マウス操作の代替手段として用いられるタッチパネル（接触位置読み取り手段）と、を備えている。このようなタッチパネルシステムは、タッチパネルの所望の位置をタッチする（表示画面上を触る）タッチ操作により操作される。
【０００３】
このようにタッチパネルシステムを操作するときには指によって操作するため、位置指定の精度が低くなり、タッチパネルシステムが、実際にタッチされた位置からずれた位置をタッチされた位置として認識し、誤作動することがある。
【０００４】
このような誤作動を無くすために、表示画面でタッチしたい位置の周辺を拡大表示することで、たとえ、タッチパネルシステムが実際にタッチされた位置からずれた位置をタッチされた位置として認識しても、誤作動しないようにする方法（例えば、特許文献１参照）が知られている。
【特許文献１】特開平４−３５９３１１
【発明の開示】
【発明が解決しようとする課題】
【０００５】
しかしながら、上記のタッチしたい位置の周辺を表示画面で拡大表示させる方法では、まず[拡大]ボタンを押下し、その後、拡大したい位置をタッチする必要がある。このため、タッチ操作により位置を確定するまでに複数回の操作が必要となる問題がある。
【０００６】
また、表示画面に拡大表示したとき、表示画面に一部の情報を表示することができなくなり、表示できる情報量が少なくなってしまい、情報を閲覧しながら操作を行う場合などに問題となる。
【０００７】
本発明は、このような点を考慮してなされたものであり、少ない操作手順で、表示画面に表示される情報量が減少することなく、表示画面内の正確な位置を確実に選択することができるタッチパネルシステムを提供することを目的とする。
【課題を解決するための手段】
【０００８】
本発明は、指を接触させることによって作動するタッチパネルシステムにおいて、
表示手段と、
表示手段上に配置され、接触された指の位置を読み取る接触位置読み取り手段と、
接触位置読み取り手段により読みとられた指の位置から当該指の位置を特定する接触位置検出部と、当該接触位置検出部により特定された指の位置に基づいて、当該指の位置に対応する表示手段の位置にポインタを表示させるポインタ表示部とを有する位置指定機能部と、を備え、
ポインタ表示部が、接触位置読み取り手段に接触された指の大きさよりも大きな十字形状からなるポインタを、表示手段に表示させることを特徴とするタッチパネルシステムである。
【０００９】
本発明は、ポインタ表示部が、接触位置読み取り手段に指が接触されているときにのみ、表示手段にポインタを表示させることを特徴とするタッチパネルシステムである。
【００１０】
本発明は、指を接触させることによって作動するタッチパネルシステムにおいて、
表示手段と、
表示手段上に配置され、接触された指の位置を読み取る接触位置読み取り手段と、
接触位置読み取り手段により読みとられた指の位置から当該指の位置を特定する接触位置検出部と、当該接触位置検出部により特定された指の位置に基づいて、当該指の位置に対応する表示手段の位置にポインタを表示させるポインタ表示部とを有する位置指定機能部と、
当該位置指定機能部の接触位置検出部と通信可能に配置され、接触位置検出部により特定された指の位置を記憶する記憶手段と、を備え、
位置指定機能部が、当該指の位置に対してポインタの位置がずれた場合、接触位置検出部によって特定され記憶手段に記憶された、接触位置読み取り手段に指が最初に接触した時の指の位置と、接触位置検出部によって特定された、接触位置読み取り手段に接触している現在の指の位置とに基づいて、ポインタの移動必要距離を算出する接触位置移動距離算出部をさらに有し、
ポインタ表示部が、当該移動必要距離に基づいて、ポインタを表示手段内で移動させることを特徴とするタッチパネルシステムである。
【００１１】
本発明は、位置指定機能部が、接触位置移動距離算出部によって算出された移動距離に減数処理を施して得られた移動必要距離を算出するポインタ移動距離算出部をさらに有し、
ポインタ表示部が、当該移動必要距離に基づいて、ポインタを表示手段内で移動させることを特徴とするタッチパネルシステムである。
【発明の効果】
【００１２】
本発明によれば、接触位置読み取り手段に接触された指の大きさよりも大きな十字形状からなるポインタを表示手段に表示させたり、移動距離に基づいてポインタを表示手段内で移動させたりすることによって、少ない操作手順で、表示画面に表示される情報量が減少することなく、表示画面内の正確な位置を確実に選択することができるタッチパネルシステムを提供することができる。
【発明を実施するための形態】
【００１３】
実施の形態
以下、本発明に係るタッチパネルシステムの実施の形態について、図面を参照して説明する。ここで、図１乃至図４（ａ）−（ｃ）は本発明の実施の形態を示す図である。なお、図１は、本実施の形態によるタッチパネルシステムの構成を示す概略図である。
【００１４】
本発明のタッチパネルシステムは、指Ｆなどを接触させることによって作動するものである（図３（ａ）（ｂ）および図４（ａ）−（ｃ）参照）。
【００１５】
図１に示すように、タッチパネルシステムは、ユーザに情報を表示する表示画面（表示手段）１と、表示画面１上にかぶせて配置され、接触された指Ｆなどの位置を読み取るタッチパネル（接触位置読み取り手段）２と、タッチパネル２と通信可能に配置された位置指定機能部３と、を備えている。
【００１６】
このうち、位置指定機能部３は、図１に示すように、タッチパネル２により読みとられた指Ｆの位置から当該指Ｆの位置座標を特定する接触位置検出部４と、当該接触位置検出部４により特定された指Ｆの位置座標に基づいて、当該指Ｆの位置座標に対応する表示画面１上の位置座標にポインタＰを表示させるポインタ表示部５とを有している。
【００１７】
また、図１に示すように、タッチパネルシステムは、位置指定機能部３と通信可能に配置され、位置指定機能部３の接触位置検出部４により特定された指Ｆの位置座標を記憶するＲＡＭ（記憶手段）９と、位置指定機能部３およびＲＡＭ９と通信可能に配置されたＣＰＵ（演算手段）８も備えている。
【００１８】
また、図１および図４（ａ）−（ｃ）に示すように、位置指定機能部３は、表示画面１上で指Ｆの位置に対してポインタＰの位置がずれた場合、接触位置検出部４によって特定されＲＡＭ９に記憶された、タッチパネル２に指Ｆが最初に接触した時の指Ｆの位置（ＲＡＭ９では図４（ｂ）に示したポインタＰの十字の交点ＰＣの位置座標として記憶されている位置座標）と、接触位置検出部４によって特定された、タッチパネル２に接触している現在の指Ｆの位置（接触位置検出部４では図４（ｃ）で示した仮想ポインタＶＰの十字の交点ＶＰＣの位置座標として特定されている位置座標）との差分に基づいて、指Ｆの移動距離Ｌを算出する接触位置移動距離算出部６と、接触位置移動距離算出部６によって算出された移動距離Ｌに減数処理を施して得られた移動必要距離ＬＰを算出するポインタ移動距離算出部７も有している。
【００１９】
ここで、「タッチパネル２に指Ｆが最初に接触した時」とは、ユーザが、所定の項目（例えば、停止ボタン）を選択しようと思ったときに、当該項目（停止ボタン）を選択するためにタッチパネル２に最初に接触した時を意味する。
【００２０】
また、図１において、ポインタ表示部５は、タッチパネル２に接触された指Ｆの大きさよりも大きな十字形状からなるポインタＰを、表示画面１に表示させる（図３（ｂ）および図４（ｂ）（ｃ）参照）。
【００２１】
また、図１において、このポインタ表示部５は、タッチパネル２に指Ｆが接触されているときにのみ、表示画面１にポインタＰを表示させる（図３（ａ）（ｂ）および図４（ａ）（ｂ）参照）。
【００２２】
また、図１において、ポインタ移動距離算出部７は、ＲＡＭ９に記憶された、タッチパネル２に指Ｆが最初に接触した時に指Ｆの位置座標として認識した位置座標（図４（ｂ）に示したポインタＰの十字の交点ＰＣの位置座標）に、移動必要距離ＬＰを加算した新たな位置座標が算出する。そして、ポインタ表示部５は、図４（ｃ）に示すように、この新たな位置座標に基づいて、ポインタＰを表示画面１内で移動させる。
【００２３】
また、本実施の形態においては、タッチパネルシステムを作動させる手段として、マウス（図示せず）を併用して用いることができる。そして、図２に示すように、通常時（タッチパネル２に指Ｆなどが何も触れていない状態）では、表示画面１には、マウスポインタとして使用される矢印状のポインタ（通常時のポインタ）Ｐ’が表示されている。
【００２４】
次に、このような構成からなる本実施の形態の作用について、ユーザが表示画面１上の所定のボタン（図示せず）を選択するときを例にとって説明する。
【００２５】
まず、図３（ａ）に示すように、ユーザが、表示画面１上のボタンが表示されている位置に指Ｆを接触させる。このとき、タッチパネル２によって、接触された指Ｆの位置が読み取られる。そして、当該指Ｆの位置が、タッチパネル２から接触位置検出部４に送られる（図１参照）。
【００２６】
次に、接触位置検出部４によって、タッチパネル２により読みとられた指Ｆの位置座標が特定される（図１参照）。
【００２７】
そして、接触位置検出部４により特定された指Ｆの位置座標が、接触位置検出部４からＲＡＭ９に送られるとともに、接触位置検出部４からポインタ表示部５に送られる（図１参照）。
【００２８】
次に、ＲＡＭ９によって、接触位置検出部４から送られた指Ｆの位置座標が記憶される（図１参照）。
【００２９】
また、ポインタ表示部５によって、接触位置検出部４により特定された指Ｆの位置座標にポインタＰの十字の交点ＰＣが位置するよう、表示画面１上にポインタＰが表示される（図１および図３（ｂ）参照）。
【００３０】
このポインタＰは、図３（ｂ）に示すように、タッチパネル２に接触された指Ｆの大きさよりも十分大きな十字形状からなっている。このため、ユーザの指ＦでポインタＰが隠されることがないので、ユーザは、タッチパネルシステムが指Ｆの位置座標として認識している位置を容易に確認することができる。
【００３１】
そして、ユーザが、タッチパネル２から指Ｆを離すことにより、所定のボタンが選択される。
【００３２】
上記では、指Ｆの位置に対してポインタＰの位置がずれなかった場合について説明したが、以下、図４（ａ）−（ｃ）を用いて、指Ｆの位置に対してポインタＰの位置がずれた場合について説明する。
【００３３】
図４（ａ）（ｂ）に示すように、指Ｆの位置（所定のボタンの位置）に対してポインタＰの位置がずれた場合には、ユーザによりポインタＰの位置が修正される。
【００３４】
具体的には、図４（ｃ）に示すように、ユーザが、指Ｆをタッチパネル２に接触させたまま移動させることにより、ポインタＰが指Ｆの動きに連動して表示画面１内を移動する。そして、ポインタＰが表示画面１のボタン上まで移動したときに、ユーザがタッチパネル２から指Ｆを離すことにより、当該ボタンが選択される。
【００３５】
上述のように、指Ｆをタッチパネル２に接触させたまま移動させている間、本実施の形態によるタッチパネルシステムでは、以下に示す工程が随時行われている。
【００３６】
まず、接触位置移動距離算出部６によって、接触位置検出部４により特定されＲＡＭ９に記憶された、タッチパネル２に指Ｆが最初に接触した時の指Ｆの位置（ＲＡＭ９では図４（ｂ）に示したポインタＰの十字の交点ＰＣの位置座標として記憶されている位置座標）と、接触位置検出部４により特定された、タッチパネル２に接触している現在の指Ｆの位置（接触位置検出部４では図４（ｃ）で示した仮想ポインタＶＰの十字の交点ＶＰＣの位置座標として特定されている位置座標）との差分が取られ、指Ｆの移動距離Ｌが算出される（図１および図４（ｃ）参照）。
【００３７】
そして、このようにして算出された移動距離Ｌは、接触位置移動距離算出部６からポインタ移動距離算出部７に送られる（図１参照）。
【００３８】
次に、ポインタ移動距離算出部７によって、接触位置移動距離算出部６から送られた移動距離Ｌに減数処理（例えば、０．０より大きく１．０より小さい係数を掛けるなど）が施され、移動必要距離ＬＰが算出される（図１および図４（ｃ）参照）。
【００３９】
その後、このポインタ移動距離算出部７によって、ＲＡＭ９に記憶されたタッチパネル２に指Ｆが最初に接触した時の指Ｆの位置として認識された位置座標（図４（ｂ）に示したポインタＰの十字の交点ＰＣの位置座標）に、移動必要距離ＬＰを加算した新たな位置座標が算出される（図１および図４（ｃ）参照）。
【００４０】
そして、このようにして算出された新たな位置座標が、ポインタ移動距離算出部７からポインタ表示部５に送られる（図１参照）。
【００４１】
次に、ポインタ表示部５によって、ポインタ移動距離算出部７から送られた新たな位置座標に十字の中心が位置するように、ポインタＰが表示画面１内で移動する（図１および図４（ｃ）参照）。
【００４２】
このように、指Ｆの位置（所定のボタンの位置）に対してポインタＰの位置がずれた場合には、ユーザはポインタＰの位置を容易に修正することができる。このため、ポインタＰによって、表示画面１内の正確なボタンを確実に選択することができる。
【００４３】
また、移動距離Ｌに減数処理が施された移動必要距離ＬＰに基づいてポインタＰが移動するため、ユーザは指Ｆを大きく動かすことによりポインタＰの位置を修正することができる。このため、ユーザは細かな修正を容易に行うことができる。
【００４４】
また、本実施の形態のタッチパネルシステムによれば、従来のタッチパネルシステムのように表示画面１に拡大表示する必要がない。このため、表示画面１に一部の情報を表示することができなくなり、表示できる情報量が少なくなってしまうことがない。
【００４５】
また、本実施の形態のタッチパネルシステムによれば、従来のタッチパネルシステムのように、表示画面１に拡大表示する操作を行う必要がない。このため、少ない操作手順で所定の位置にポインタＰを移動させることができる。
【００４６】
なお、ポインタ表示部５は、表示画面１に、タッチパネル２に指Ｆが接触されているときにのみポインタＰを表示させ、タッチパネル２に指Ｆが接触されていないときにはマウスポインタとして使用される矢印状のポインタＰ’を表示させる。（図２参照）。このため、本実施の形態によるタッチパネルシステムによれば、タッチパネル２による操作とマウスによる操作を併用しているシステムに用いた場合でも、マウスによる操作に影響を与えることがない。
【図面の簡単な説明】
【００４７】
【図１】本発明のタッチパネルシステムの実施の形態による構成を示す概略図。
【図２】本発明のタッチパネルシステムの実施の形態において、接触位置読み取り手段に指が接触されていないときの状態を示す概略図。
【図３】本発明のタッチパネルシステムの実施の形態において、指の位置に対してポインタの位置がずれなかった場合を説明する説明図。
【図４】本発明のタッチパネルシステムの実施の形態において、指の位置に対してポインタの位置がずれた場合を説明する説明図。
【符号の説明】
【００４８】
１      表示画面（表示手段）
２      接触位置読み取り手段（タッチパネル）
３      位置指定機能部
４      接触位置検出部
５      ポインタ表示部
６      接触位置移動距離算出部
７      ポインタ移動距離算出部
８      ＣＰＵ（演算手段）
９      ＲＡＭ（記憶手段）
Ｆ      ユーザの指
Ｌ      移動距離
ＬＰ    移動必要距離
Ｐ      ポインタ
Ｐ’    矢印状のポインタ（通常時のポインタ）
ＰＣ    ポインタの十字の交点
ＶＰ    仮想ポインタ
ＶＰＣ  仮想ポインタの十字の交点
【図１】
2008226097.tif 000003
【図２】
2008226097.tif 000004
【図３】
2008226097.tif 000005
【図４】
2008226097.tif 000006